【手続補正書】
【提出日】平成25年2月7日(2013.2.7)
【手続補正１】
【補正対象書類名】特許請求の範囲
【補正対象項目名】全文
【補正方法】変更
【補正の内容】
【特許請求の範囲】
【請求項１】
対象流体をチャネルの入口の中に導入することと、
該入口に各々流体的に接続されている複数のマイクロ流体出口から、該対象流体の分離した部分を放出すると同時に、少なくとも部分的に分散流体によって該対象流体の該分離した部分のうちの少なくとも１つを包囲することと
を含む、方法。
【請求項２】
前記分散流体に、前記対象流体の不連続区画を作成させることを含む、請求項１に記載の方法。
【請求項３】
前記対象流体を前記分散流体の２つの分離した流れに曝露させ、該２つの分離した流れが結合すること、および該対象流体の流れを完全に円周方向に包囲することを可能にすることを含む、請求項２に記載の方法。
【請求項４】
上流部分と、出口に接続する下流部分とを有するマイクロ流体相互接続領域を提供することと、
該出口の上流の該相互接続領域の中において、前記対象流体の不連続区画を作成することであって、該不連続区画のうちの少なくともいくつかは、２０ミクロン未満の最大寸法を有する、ことと
を含む、請求項１に記載の方法。
【請求項５】
前記相互接続領域は、１ミリメートル未満の最大断面寸法を有する、請求項４に記載の方法。
【請求項６】
前記対象流体および前記分散流体の両方は、前記相互接続領域の外部境界内にある、請求項４に記載の方法。
【請求項７】
前記相互接続領域は、前記不連続区画の形成を補助する、寸法的に制限された区画を含有する、請求項４に記載の方法。
【請求項８】
前記分散流体および対象流体が前記寸法的に制限された区画を通過することを可能にすることを含み、該対象流体は、該寸法的に制限された区画を画定する壁に接触しない、請求項７に記載の方法。
【請求項９】
前記相互接続領域の前記上流部分と前記下流部分との間で圧力差を作成することと、該上流部分と前記出口との間に分散流体を導入することと、少なくとも部分的に圧力差を介して前記対象流体の前記不連続区画を形成することとを含む、請求項４に記載の方法。
【請求項１０】
少なくとも部分的に前記相互接続領域の前記上流部分と前記出口との間の寸法的に制限された区画を介して、前記圧力差を作成することを含む、請求項９に記載の方法。
【請求項１１】
前記対象流体と前記分散流体との間に中間流体を導入すること、および該対象流体の不連続区画を作成することをさらに含み、各区画は、中間流体のシェルによって包囲される、請求項２に記載の方法。
【請求項１２】
並列のマイクロ流体チャネル内において液滴を形成するシステムであって、
複数のマイクロ流体対象流体出口に流体的に接続される入口を有する分配チャネルであって、各出口は、分散流体源に流体的に接続可能な少なくとも１つの分散流体チャネルと流体的に連絡しているマイクロ流体相互接続領域の一部を画定する、分配チャネルを備える、システム。
【請求項１３】
前記分配チャネルは、複数のマイクロ流体デバイスと流体的に連絡しており、各マイクロ流体デバイスは、前記複数のマイクロ流体対象流体出口のうちの少なくとも１つに接続される、請求項１２に記載のシステム。
【請求項１４】
複数の分配チャネルをさらに備え、各々は、複数のマイクロ流体対象流体出口に流体的に接続される入口を有する、請求項１２に記載のシステム。
【請求項１５】
前記複数の分配チャネルのうちの少なくとも１つは、該分配チャネルの各々に流体的に接続され、各接続は、該複数の分配チャネルのうちの該少なくとも１つのマイクロ流体出口を介して行われる、請求項１４に記載のシステム。
【請求項１６】
前記複数の分配チャネルは、マイクロ流体デバイス二の次元アレイに接続する、請求項１４に記載のシステム。
【請求項１７】
前記複数の分配チャネルは、マイクロ流体デバイスの三次元アレイに接続する、請求項１４に記載のシステム。
【請求項１８】
前記マイクロ流体デバイスのアレイは、少なくとも約１００ｍＬ／時の流量が可能である、請求項１６に記載のシステム。
【請求項１９】
複数の前記マイクロ流体相互接続領域は、前記分散流体源と流体的に接続可能な、少なくとも２つの分散流体チャネルと流体的に連絡している、請求項１２に記載のシステム。
【請求項２０】
前記相互接続領域は、上流部分と、出口に接続される下流部分とを有し、前記対象流体マイクロ流体チャネルは、該相互接続領域の該上流部分と該出口との間に出口を有する、請求項１２に記載のシステム。
【請求項２１】
前記相互接続領域は、上流部分と、出口に接続される下流部分と、該上流部分と該出口との間の寸法的に制限された区画とを有する、請求項１２に記載のシステム。
【請求項２２】
前記相互接続領域および対象流体チャネルに流体的に接続する少なくとも１つの中間流体チャネルをさらに備える、請求項１２に記載のシステム。
【請求項２３】
前記中間流体領域は、前記相互接続領域の前記上流部分と出口との間に出口を有する、請求項２２に記載のシステム。
【請求項２４】
前記中間流体チャネルは、前記相互接続領域の寸法的に制限された部分の上流に出口を有する、請求項２２に記載のシステム。
【請求項２５】
前記対象流体チャネルは、少なくとも１つの中間流体チャネルによって、前記相互接続領域から横方向に分離される、請求項２２に記載のシステム。
【請求項２６】
並列のマイクロ流体チャネル内において液滴を形成するシステムであって、
対象流体を運ぶ対象流体チャネルと、分散流体を運ぶ分散流体チャネルとを結合する相互接続領域を備え、該相互接続領域の外壁を画定する少なくとも一部、および該対象流体チャネルの外壁を画定する部分は、単一の統合ユニットの部分である、システム。
【手続補正２】
【補正対象書類名】明細書
【補正対象項目名】００１０
【補正方法】変更
【補正の内容】
【００１０】
本発明は、例えば、以下を提供する：
（項目１）
対象流体をチャネルの入口の中に導入することと、
該入口に各々流体的に接続されている複数のマイクロ流体出口から、該対象流体の分離した部分を放出すると同時に、少なくとも部分的に分散流体によって該対象流体の該分離した部分のうちの少なくとも１つを包囲することと
を含む、方法。
（項目２）
前記分散流体に、前記対象流体の不連続区画を作成させることを含む、項目１に記載の方法。
（項目３）
前記対象流体を前記分散流体の２つの分離した流れに曝露させ、該２つの分離した流れが結合すること、および該対象流体の流れを完全に円周方向に包囲することを可能にすることを含む、項目２に記載の方法。
（項目４）
上流部分と、出口に接続する下流部分とを有するマイクロ流体相互接続領域を提供することと、
該出口の上流の該相互接続領域の中において、前記対象流体の不連続区画を作成することであって、該不連続区画のうちの少なくともいくつかは、２０ミクロン未満の最大寸法を有する、ことと
を含む、項目１に記載の方法。
（項目５）
前記相互接続領域は、取り囲まれた断面を有する、項目４に記載の方法。
（項目６）
前記相互接続領域は、１ミリメートル未満の最大断面寸法を有する、項目４に記載の方法。
（項目７）
前記相互接続領域は、２００ミクロン未満の最大断面寸法を有する、項目４に記載の方法。
（項目８）
前記相互接続領域は、５０ミクロン未満の最大断面寸法を有する、項目４に記載の方法。
（項目９）
前記相互接続領域は、２５ミクロン未満の最大断面寸法を有する、項目４に記載の方法。
（項目１０）
前記対象流体および前記分散流体の両方は、前記相互接続領域の外部境界内にある、項目４に記載の方法。
（項目１１）
前記相互接続領域は、前記不連続区画の形成を補助する、寸法的に制限された区画を含有する、項目４に記載の方法。
（項目１２）
前記分散流体および対象流体が前記寸法的に制限された区画を通過することを可能にすることを含み、該対象流体は、該寸法的に制限された区画を画定する壁に接触しない、項目１１に記載の方法。
（項目１３）
前記対象流体を、対象流体チャネルから前記相互接続領域内の分散流体の中に導入することを含む、項目４に記載の方法。
（項目１４）
前記対象流体は、液体を含む、項目２に記載の方法。
（項目１５）
前記対象流体は、ガスを含む、項目２に記載の方法。
（項目１６）
前記対象流体チャネルは、前記相互接続領域によって少なくとも部分的に包囲される、項目１２に記載の方法。
（項目１７）
前記相互接続領域は、前記対象流体チャネルを部分的に包囲し、および該対象流体チャネルの出口において相互接続する少なくとも２つの区画を有する上流部分を含む、項目１３に記載の方法。
（項目１８）
前記相互接続領域の前記上流部分と前記下流部分との間で圧力差を作成することと、該上流部分と前記出口との間に分散流体を導入することと、少なくとも部分的に圧力差を介して前記対象流体の前記不連続区画を形成することとを含む、項目４に記載の方法。
（項目１９）
少なくとも部分的に前記相互接続領域の前記上流部分と前記出口との間の寸法的に制限された区画を介して、前記圧力差を作成することを含む、項目１８に記載の方法。
（項目２０）
前記寸法的に制限された区画を通して前記対象流体および前記分散流体を流動させることを含む、項目１９に記載の方法。
（項目２１）
前記分散流体および対象流体の各々は、流量を有し、該対象流体の該分散流体に対する該流量の比は１：５未満である、項目２０に記載の方法。
（項目２２）
前記比は、１：２５未満である、項目２１に記載の方法。
（項目２３）
前記比は、１：１００未満である、項目２１に記載の方法。
（項目２４）
前記比は、１：４００未満である、項目２１に記載の方法。
（項目２５）
前記対象流体チャネルは、前記寸法的に制限された区画の上流の前記相互接続領域において終端する出口を有する、項目２１に記載の方法。
（項目２６）
前記対象流体チャネルは、前記寸法的に制限された区画を通過する軸を有する、項目２５に記載の方法。
（項目２７）
前記相互接続領域の前記下流部分は、中心軸を有し、前記対象流体は、該相互接続領域の該下流部分の該中心軸と整列している中心軸を有する対象流体チャネルから、該相互接続領域に導入される、項目４に記載の方法。
（項目２８）
前記分散流体は、６×１０−５〜１×１０−２ミリリットル／秒の間の流量を有する、項目２に記載の方法。
（項目２９）
前記分散流体は、１×１０−４〜１×１０−３ミリリットル／秒の間の流量を有する、項目２に記載の方法。
（項目３０）
対象流体の分散流体に対する流量の前記比は、１：５未満である、項目２９に記載の方法。
（項目３１）
対象流体の分散流体に対する流量の前記比は、１：１００未満である、項目２９に記載の方法。
（項目３２）
対象流体の分散流体に対する流量の前記比は、１：４００未満である、項目２９に記載の方法。
（項目３３）
前記分散流体内に単分散の不連続対象流体区画を作成することを含む、項目２に記載の方法。
（項目３４）
前記分散流体内に単分散の対象流体液滴を作成することを含む、項目２に記載の方法。
（項目３５）
前記分散流体に多分散の不連続対象流体区画を作成することを含む、項目２に記載の方法。
（項目３６）
前記不連続区画は、各々、最大寸法を有し、最も大きい該最大寸法を有する該区画の最も小さい該最大寸法を有する該区画に対するサイズ比は、少なくとも１０：１である、項目３５に記載の方法。
（項目３７）
前記比は、少なくとも２５：１である、項目３６に記載の方法。
（項目３８）
前記比は、少なくとも１００：１である、項目３６に記載の方法。
（項目３９）
前記不連続区画のうちの少なくともいくつかは、５０ミクロン未満の最大断面寸法を有する、項目３５に記載の方法。
（項目４０）
前記不連続区画のうちの少なくともいくつかは、１０ミクロン未満の最大断面寸法を有する、項目３５に記載の方法。
（項目４１）
前記不連続区画のうちの少なくともいくつかは、１ミクロン未満の最大断面寸法を有する、項目３５に記載の方法。
（項目４２）
前記対象流体と前記分散流体との間に中間流体を導入すること、および該対象流体の不連続区画を作成することをさらに含み、各区画は、中間流体のシェルによって包囲される、項目２に記載の方法。
（項目４３）
前記シェルを硬化することをさらに含む、項目４２に記載の方法。
（項目４４）
前記対象流体チャネルと前記相互接続領域との間の少なくとも１つの中間流体チャネルを介して、前記対象流体と前記分散流体との間に前記中間流体を導入することを含む、項目４２に記載の方法。
（項目４５）
前記少なくとも１つの中間流体チャネルは、前記対象流体チャネルの前記出口の付近に出口を有する、項目４２に記載の方法。
（項目４６）
前記対象流体と前記分散流体とは、前記不連続区画の形成の時間スケールにおいて非混和性である、項目２に記載の方法。
（項目４７）
前記対象流体、中間流体、および分散流体の各々は、前記区画形成の前記時間スケールにおいて、相互に対して非混和性である、項目４２に記載の方法。
（項目４８）
並列のマイクロ流体チャネル内において液滴を形成するシステムであって、
複数のマイクロ流体対象流体出口に流体的に接続される入口を有する分配チャネルであって、各出口は、分散流体源に流体的に接続可能な少なくとも１つの分散流体チャネルと流体的に連絡しているマイクロ流体相互接続領域の一部を画定する、分配チャネルを備える、システム。
（項目４９）
前記分配チャネルは、複数のマイクロ流体デバイスと流体的に連絡しており、各マイクロ流体デバイスは、前記複数のマイクロ流体対象流体出口のうちの少なくとも１つに接続される、項目４８に記載のシステム。
（項目５０）
複数の分配チャネルをさらに備え、各々は、複数のマイクロ流体対象流体出口に流体的に接続される入口を有する、項目４８に記載のシステム。
（項目５１）
前記複数の分配チャネルのうちの少なくとも１つは、該分配チャネルの各々に流体的に接続され、各接続は、該複数の分配チャネルのうちの該少なくとも１つのマイクロ流体出口を介して行われる、項目５０に記載のシステム。
（項目５２）
前記複数の分配チャネルのうちの前記少なくとも１つは、前記分配の分散チャネルに実質的に並列である、項目５１に記載のシステム。
（項目５３）
前記分配チャネルは、マイクロ流体デバイスの一次元アレイに接続する、項目４８に記載のシステム。
（項目５４）
前記複数の分配チャネルは、マイクロ流体デバイス二の次元アレイに接続する、項目５０に記載のシステム。
（項目５５）
前記複数の分配チャネルは、マイクロ流体デバイスの三次元アレイに接続する、項目５０に記載のシステム。
（項目５６）
前記マイクロ流体デバイスのアレイは、少なくとも約１００ｍＬ／時の流量が可能である、項目５３、５４、または５５に記載のシステム。
（項目５７）
前記マイクロ流体デバイスのアレイは、少なくとも約１Ｌ／時の流量が可能である、項目５３、５４、または５５に記載のシステム。
（項目５８）
前記マイクロ流体デバイスのアレイは、少なくとも約１０Ｌ／時の流量が可能である、項目５３、５４、または５５に記載のシステム。
（項目５９）
前記マイクロ流体デバイスのアレイは、少なくとも約１００Ｌ／時の流量が可能である、項目５３、５４、または５５に記載のシステム。
（項目６０）
前記アレイは、少なくとも１０００個のマイクロ流体デバイスを備える、項目５３、５４、または５５に記載のシステム。
（項目６１）
前記アレイは、少なくとも１０，０００個のマイクロ流体デバイスを備える、項目５３、５４、または５５に記載のシステム。
（項目６２）
Ｎ×Ｒｃ１／Ｒｄは、約１％未満である、項目５３に記載のシステム。
（項目６３）
Ｒｃ２＜Ｒｃ１／Ｍである、項目５４に記載のシステム。
（項目６４）
Ｒｃ３＜Ｒｃ２／Ｋである、項目５５に記載のシステム。
（項目６５）
複数の前記マイクロ流体相互接続領域は、前記分散流体源と流体的に接続可能な、少なくとも２つの分散流体チャネルと流体的に連絡している、項目４８に記載のシステム。
（項目６６）
前記マイクロ流体相互接続領域の各々は、分散流体源と流体的に接続可能な少なくとも２つの分散流体チャネルと流体的に連絡している、項目４８に記載のシステム。
（項目６７）
前記相互接続領域を画定する少なくとも一部、および前記対象流体チャネルを画定する少なくとも一部は、単一統合ユニットの部分である、項目４８に記載のシステム。
（項目６８）
前記相互接続領域は、上流部分と、出口に接続される下流部分とを有し、前記対象流体マイクロ流体チャネルは、該相互接続領域の該上流部分と該出口との間に出口を有する、項目４８に記載のシステム。
（項目６９）
前記相互接続領域は、上流部分と、出口に接続される下流部分と、該上流部分と該出口との間の寸法的に制限された区画とを有する、項目４８に記載のシステム。
（項目７０）
前記対象流体マイクロ流体チャネルは、前記寸法的に制限された区画の上流に出口を有する、項目６９に記載のシステム。
（項目７１）
前記対象流体チャネルおよび前記相互接続領域の前記下流部分は各々、中心軸を有し、これらの軸は、整列している、項目７０に記載のシステム。
（項目７２）
前記対象流体チャネルおよび前記相互接続領域の前記下流部分は各々、中心軸を有し、これらの軸は、整列している、項目４８に記載のシステム。
（項目７３）
前記相互接続領域および対象流体チャネルに流体的に接続する少なくとも１つの中間流体チャネルをさらに備える、項目４８に記載のシステム。
（項目７４）
前記中間流体領域は、前記相互接続領域の前記上流部分と出口との間に出口を有する、項目７３に記載のシステム。
（項目７５）
前記中間流体チャネルは、前記相互接続領域の寸法的に制限された部分の上流に出口を有する、項目７３に記載のシステム。
（項目７６）
前記対象流体チャネルは、少なくとも１つの中間流体チャネルによって、前記相互接続領域から横方向に分離される、項目７３に記載のシステム。
（項目７７）
前記対象流体および中間流体チャネルの各々は、前記寸法的に制限された区画の上流に出口を有する、項目７５に記載のシステム。
（項目７８）
並列のマイクロ流体チャネル内において液滴を形成するシステムであって、
対象流体を運ぶ対象流体チャネルと、分散流体を運ぶ分散流体チャネルとを結合する相互接続領域を備え、該相互接続領域の外壁を画定する少なくとも一部、および該対象流体チャネルの外壁を画定する少なくとも一部は、単一の統合ユニットの部分である、システム。
本発明は、概して、流動集束型技術に関し、マイクロ流体工学にも関し、より具体的には、分散剤内の分散相ならびに多相流体系の中の分散相のサイズおよびサイズ分布を制御するように配設されるマイクロ流体システムと、複数のかかるデバイスへの流体成分の送達のためのシステムとの併用に関する。本発明の主題は、場合によっては、相互に関連する製品、特定の問題に対する代替の解決策、ならびに／または１つ以上のシステムおよび／もしくは物品の複数の異なる使用に関する。